(57)【要約】【課題】  大震災時に大規模停電、水道水の大規模断水が起こった時に特許第４５８７０２０号「非常時用自転車ペリスタルティック（Ｐｅｒｉｓｔａｌｔｉｃ）ポンプ装置」によって汲み上げられた非常時用水洗水を、本願発明の非常時用水洗便器によって支障なく活用すること。【解決手段】  現在の各種給水方式の水洗便器を一応のタンク方式にして、非常時用水洗水を活用し課題を達成する。【選択図】図１０
2014118806.tif 000002
【特許請求の範囲】
【請求項１】
非常時用水洗便器において、水洗水の給水方式がタンク式の場合には、タンクの給水口に非常時用水洗水の給水取り付け口を付けられるようにするか、または水道水がタンクに給水される上流に３方コック的なバルブを配し、その非常時用コック口には非常時用水洗水の給水取り付け口を付けられるようにし、便器水洗水以外となる手洗蛇口等は閉めることを特徴とする非常時用水洗便器。
【請求項２】
非常時用水洗便器において水洗水の給水方式が、水道直結式または水道直結式でタンク貯水ポンプ加圧併用式の場合には、トルネード洗浄方式の吐水口または、便器ふちより満遍なく一斉に上から下へ流れ落ちる洗浄方式の吐水口をつけたタンク式給水方式のセットを付けることを特徴とした非常時用水洗便器。
【請求項３】
１メートル以上の水圧落差を持った非常時用水洗水の水槽より、請求項１と請求項２の非常時用水洗便器のタンクに非常時用水洗水を給水することを特徴とした非常時用水洗水の給水方式。
【請求項４】
通常の水道水の配水管を使用して請求項１と請求項２に記載の非常時用水洗便器に非常時用水洗水を給水する時には、この配水管についた全ての蛇口を閉めて、上記便器以外に非常時用水洗水の使用を不可能にすることを特徴とした非常時用水洗水の給水方法。
【発明の詳細な説明】
【技術分野】
【０００１】  本発明は平成２３年３月１１日の東日本大震災時のごとき非常時において、大規模停電、大規模断水となった時に本願発明者等による特許第４５８７０２０号「非常時用自転車駆動ペリスタルティック（Ｐｅｒｉｓｔａｌｔｉｃ）ポンプ装置」によって汲み上げられた河川、沼、海水等、自然の水及び、公立私立の学校のプール水、ビル等の地下貯水用水等の水を非常時用水洗水として使用することを目的とし、特に地方公共団体の大規模避難所の水洗トイレの水洗水に供する技術に関する。
当然のことながら前記以外に水洗水があれば、それも利用可能である。
【背景技術】
【０００２】  近年、我が国においては平成７年の阪神淡路大震災、平成２３年３月１１日の東日本大震災と歴史的な大震災が続いております。大規模避難所では避難生活において食料、飲料水の不足は論を待ちませんが、トイレ、シャワー等、水の不足が深刻な問題でした。本願発明者等も関連文献として以下を出願した。
【特許文献１】  実用新案登録第３１５３４５７号
【発明の開示】
【発明が解決しようとする課題】
【０００３】  しかしながら特許文献１に開示したものは高分子ポリエチレン等によるブロー成形方法により製造したもので、上下に分解した上で積み重ねて多数個を保存しておくには体積を取らずまことに利便性の大きなものであるが、大量の糞尿を詰まりなく大口形下水道に流すには大量の水道水を必要とした。非常時には出来るだけ水洗水を少量で処理したい。それには既存の専門メーカーの開発した便器が大震災でも下水道までの水利を保持して残存した場合には、それらを利用した方が使用水洗水も少量で利便性は向上する。【０００４】  しかるに図１に一戸建の家の現在の水道直結圧方式による給水管を示し、図２にはマンション、オフィスビル等、集合住宅の給水管の配置を示す。すなわち非常時に自転車駆動ポンプで汲み上げられた非常時用水洗水が図１及び図２の給水管で配水された場合、もし飲料水の蛇口を開けて飲料水として利用されたら、その非常時用水洗水の水質によっては発病又は嘔吐等の大変重篤な災害が起こる可能性がある。よってこの非常時用水洗水は便器の水洗水にだけ使用されなければならない。飲用との混用が起こってはいけない、よって本願発明がなされた。
【発明を解決するための手段】
【０００５】  本発明の目的は以下の手段を採用することで達成される。現在の既存の水洗便器の水洗水の給水方式には３種類あり、タンク式、水道直結式、水道直結式でタンク貯水ポンプ加圧併用式がある。タンク給水方式の便器の場合、請求項１の非常時用水洗便器にすればよい。すなわち非常時用水洗水のホースをその便器のタンクに給水される上流に付けた、３方コック的なバルブの非常時用水洗水用ノズル口につなぐか、またはタンクに付けられた給水取り付け口に非常時用水洗水のホースをつなげばよい。図３、図４、図５にて図示する。あえて３方コック的と“的”の字を使用したのは、３方コックは一般には気体に使用される３方切換弁で、本願では水洗水を流すのに使用するからである。
つぎに便器の水洗水の給水の給水方式が水道直結式または水道直結式でタンク貯水ポンプ加圧併用式の場合には請求項２の非常時用水洗便器にすればよい。すなわち大震災時で電気の停電時には両給水方式の便器においては電磁弁が完全に閉じて、ポンプも作動しなくなり、水洗水の流れは完全に不可能となる。よって請求項２に記載のごとく、トルネード洗浄方式の吐水口または便器ふちより満遍なく一斉に上から下へ流れ落ちる洗浄方式の吐水口を付けた１回の水洗水から５ｌ程度のやや節水形のタンク給水方式の１セットを別途間近に敷設しなければならない。それを図６と図７に図示する。
【０００６】  すなわち３種類の給水方式の既存の水洗便器もタンク給水方式のものは請求項１の方式で、また他の２種の給水方式のものは請求項２の方式で全ての便器が非常時用水洗便器になる。
【発明の効果】
【０００７】  タンク給水方式の既存水洗便器は請求項１の方式で、他の給水方式の既存水洗便器は請求項２の方式で改造された全ての水洗便器に１メートル乃至３メートル以上の水圧落差を持つ非常時用水洗水の仮設水槽より給水されれば非常時用水洗便器の機能は完全に発揮される。その様子を図８と図９に図示する。
【発明を実施するための最良の形態】
【０００８】  図８と図９は限られた便器個数の説明である。しかし高層オフィスビル等で大震災時には東京都の平成２５年４月より施行される条例のごとく、数日間社員の帰宅を抑制してビル内に留め置くことになる。よって人数分の食料、飲料水、一人１枚の毛布等の備蓄がある程度義務付けられます。この時やはり非常に困るのはトイレです。現在の高層ビルの耐震性は非常に向上したので、ビル自身の給水管、下水管は大丈夫と思いますが、現在のビルは水道直結式で屋上の貯水槽は無く地下貯水式です。この地下貯水槽の水質は飲料水には不向きの場合が多いです。そこでこの地下貯水槽の水を非常時用水洗水として特許第４５８７０２０号の手段で高層ビルの少なくとも５ないし６階の仮設水槽までは揚水出来ます。もし５階に仮設水槽が設置出来ればそれより下の階の多数の便器は、本願特許の請求項１と請求項２の改造によりこの非常時用水洗水の水が活用出来ます。この時、図８と図９に図示した仮設配管では、非常に複雑でオフィスビル住人の不便、更に転倒等の危険を生じます。よって高層ビル既存の水道水配管を使用出来れば仮設配管の不便性は無くなります。しかしコラム「０００４」に記載したごとく、飲用との混用が起こってはなりません。そこで請求項４にあるごとく、この配管についた全ての蛇口を慎重に注意深く閉めておく事が必須要件です。これによって例えば５階から下の便器は全て非常時用水洗便器として使用出来るので、高層ビル全住人の利便性に寄与すること大となります。
【実施例１】
【０００９】  特許第４５８７０２０号のペリスタルティックポンプとして、Ｗａｔｏｓｏｎ−ＭａｒｌｏｗのＷＭ−７２０を使用した場合の自吸メートル数は２．６メートルで、吐出圧は約２０メートルですので約５階まで非常時用水洗水は揚げられます。よってその階までのトイレが確保されます。
【実施例２】
【００１０】  上記ペリスタルティックポンプとして、株式会社イワキのＳＰＸ−２０を使用すれば、自吸メートル数は最大で約９メートル、吐出圧は０．７５ＭＰａなので、約７５メートルの高層まで揚水出来ますので、約１５階まで非常時用水洗水が揚げられます。よって相当高層階までのトイレが確保されます。また、１５階に別の補助的仮設水槽を置いて、そこに特許第４５８７０２０号のペリスタルティックポンプセットを配して次の１５階上の水洗水仮設水槽に揚水することにより、さらに上の１５階以下の非常時用水洗便器が使用可能となります。この方法を繰り返すことにより相当高層階の非常時用水洗便器が使用可能となります。
【実施例３】
【００１１】  既設の便器の給水方式が水道直結または、水道直結式でタンク貯水ポンプ加圧併用式の場合で、その便器を大震災で停電、断水の非常時に水洗便器として使用し、なお既設配水管を非常時用水洗水の配水管として利用するためには、あらかじめその便器の水洗水配管の上流に３方コック的なバルブをつけておくことが肝要である。そして非常時にはその便器を、先ず請求項２の非常時用水洗便器とし、このタンク給水口と３方コック的バルブでの非常時給水口を臨時配管によりつないで非常時用水洗水を、この非常時用水洗便器のタンクに給水する。それを図１０に図示する。なお３方コック的バルブは非常時に附設してもかまわない。
また、この既設配水管についた便器水洗以外の全ての蛇口は請求項４記載の如く注意深く締められることが必要である。
【産業上の利用の可能性】
【００１２】  大震災発生時のため大規模停電、大規模断水の時に本願発明者等による特許第４５８７０２０号「非常時用自転車駆動ペリスタルティックポンプ装置」によって汲み上げられた非常時用水洗水が、本願発明によって地方公共団体の大規模避難所の水洗トイレ、学校の水洗トイレ、高層オフィスビルの水洗トイレに利用可能となる。
【図面の簡単な説明】
【００１３】
【図１】一戸建家屋の水道直結直圧給水方式
【図２】集合住宅の給排水方式
【図３】タンク式水洗トイレへの給水用通常水道水給水管の上手に３方コック的バルブをあらかじめ設置した場合の説明図
【図４】図３の３方コック的バルブの非常時用水洗用ノズル口に非常時用水洗水のホースをつないだ説明図
【図５】タンク式水洗トイレの給水取り付け口に非常時用水洗水のホースをつないだ場合の説明図
【図６】請求項２記載のトルネード洗浄方式の吐水口をつけたタンク給水方式の場合の説明図
【図７】請求項２記載の便器ふちより万遍なく一斉に上から下へ流れ落ちる洗浄方式の吐水口をつけたタンク給水方式の場合の説明図
【図８】既存の水洗便器を請求項１あるいは２記載の非常時用水洗便器とし、それらに１メートル乃至３メートル以上の水圧落差を持つ非常時用水洗水の仮設水槽より給水した場合の上面図
【図９】校舎の既存の水洗便器を請求項１あるいは２記載の非常時用水洗便器とし、それらに１メートル乃至３メートル以上の水圧落差を持つ非常時用水洗水の仮設水槽より給水した場合の正面（断面）図
【図１０】請求項２記載の非常時用水洗便器において、既設配水管を非常時用水洗水の配管として使用する場合、該配水管にあらかじめ３方コック的バルブを附設して、その非常時給水ノズルと仮設した便器タンクの給水口をつないで非常時用水洗水を使用する。なお請求項４記載の如く該既設配水管についた総ての蛇口は閉められていることを示す説明図。
【符号の説明】
【００１４】１    水道本管
２    量水器
３    給水管
４    キッチンユニット
５    浴室
６    大便器
７    大便器
８    浴室
９    洗濯機
１０  排水継手
１１  洗面所
１２  キッチン
１３  汚水ます
１４  給水管
１５  直圧式ポンプ
１６  水道本官
１７  通気口金具
１８  タンク式水洗トイレ
１９  給水タンク
２０  ３方コック的バルブの通常使用時の形態
２１  非常時用水洗水用ノズル
２２  通常水道水
２３  給水取り付け口
２４  通常のトルネード洗浄水吐水ノズル
２５  洗浄水レバー
２６  非常時用水洗水
２７  ３方コック的バルブの非常時使用の形態
２８  既設水道管
２９  非常時用水洗水のホース
３０  給水取り付け口
３１  非常時用水洗水
３２  既設水道管をはずした形態
３３  水道直結又は水道直結でタンク給水ポンプ式便器
３４  請求項２記載のタンク給水方式のタンク
３５  請求項２記載のトルネード洗浄方式の吐水口
３６  既存水道管を非常時用水洗水の配管として使用時の３方コック的バルブの形態
３７  既存水道管
３８  非常時用水洗水
３９  非常時用水洗水
４０  非常時用水洗水用ノズル
４１  水道直結又は水道直結でタンク給水ポンプ式便器
４２  請求項２記載の便器ふちより満遍なく一斉に上から下へ流れ落ちる洗浄方式の吐水口
４３  高層建屋の或る階の廊下
４４  高層建屋の或る階のエレベーター
４５  高層建屋の或る階のエレベーターホール
４６  高層建屋の或る階の男子トイレ
４７  高層建屋の或る階の女子トイレ
４８  高層建屋の或る階の請求項１あるいは２記載の非常時用水洗便器
４９  高層建屋の或る階の廊下に置かれた非常時用水洗水の仮設水槽
５０  高層建屋の或る階のエレベーターホールに置かれた非常時用水洗水の仮設水槽
５１  高層建屋の或る階への外壁伝いの非常時用水洗水の仮設配水管による、各仮設水槽への給水管
５２  高層建屋の或る階のより上層階より建屋内を通った仮設配水管による各仮設水槽への給水管
５３  仮設水槽下部より各非常時用水洗便器への給水管
５４  非常時用水洗水
５５  大型仮設水槽、常設でもよい
５６  小型仮設水槽
５７  請求項１あるいは２記載の非常時用水洗便器
５８  仮設給水管
５９  上階よりの仮設給水管
６０  学校校舎
６１  既設下水配管管
６２  既設大口口径地下下水配水管
６３  請求項２記載のトルネード洗浄方式の吐水口
６４  ３方コック的バルブ
６５  非常時用水洗水
６６  既設配水管
６７  請求項４記載の如く既設配水管の総ての蛇口を閉めたところ
６８  既設排水管
【図１】
2014118806.tif 000003
【図２】
2014118806.tif 000004
【図３】
2014118806.tif 000005
【図４】
2014118806.tif 000006
【図５】
2014118806.tif 000007
【図６】
2014118806.tif 000008
【図７】
2014118806.tif 000009
【図８】
2014118806.tif 000010
【図９】
2014118806.tif 000011
【図１０】
2014118806.tif 000012